(57)【要約】この開示は、制御されかつ可変である量の芳香油または精油等の油を、陽圧呼吸システムを介してユーザへ送達するための受動インライン油送達システムを説明する。陽圧呼吸システムは、例えば睡眠中に、加圧された空気をユーザへ送達する管を含み得る。そのような陽圧呼吸システムの例は、持続陽圧呼吸（ＣＰＡＰ）システム、自動陽圧呼吸（ＡＰＡＰ）システム、およびバイレベル陽圧呼吸（ＢｉＰＡＰ）システムを含む。本明細書中で説明されるインライン受動油送達システムは、制御されかつ／または調節可能な量の油を、陽圧呼吸システムによってユーザへ送達される空気中へ送達する。
2021518215.tif 000002
【特許請求の範囲】
【請求項１】
ホルダ内に含まれる油を陽圧呼吸システムの気流へ曝露するための油拡散器具であって、前記油拡散器具は、
油を含むホルダを固着するように構成されるレセプタクルと、
第１のハウジング部分および第２のハウジング部分であって、前記第１および第２の部分は、ハウジングを形成するように相互に結合される、第１のハウジング部分および第２のハウジング部分と、
前記ハウジングを通過する気流と、
前記油を含む前記ホルダを前記気流へ曝露するために前記レセプタクル内に形成されるアパーチャであって、前記アパーチャは、前記気流によって運搬される前記油の量を変化させるようにサイズが可変である、アパーチャと
を備える、器具。
【請求項２】
前記第１の部分および前記第２の部分は、接合されることに応答して前記ホルダを全体的に囲み、それによって前記ホルダのいずれの部分も前記気流へ曝露されないようにすることが可能である、請求項１に記載の器具。
【請求項３】
前記油拡散器具は、前記陽圧呼吸システムの管とフェイスマスクとの間に挿入されるように構成される、請求項１に記載の器具。
【請求項４】
前記油拡散器具は、前記陽圧呼吸システムの管とポンプとの間に挿入されるように構成される、請求項１に記載の器具。
【請求項５】
ユーザが、前記第１の部分と前記第２の部分との前記結合を調節することによって、前記ホルダの曝露の程度を選択し得る、請求項１に記載の器具。
【請求項６】
前記ホルダは、吸収性材料、微粒化材料、噴霧化材料、フェルトパッド、植物ベースのファイバパッド、動物ベースのファイバパッド、布、ゲル、多孔性物質、プラスチック、またはスポンジを備える、請求項１に記載の器具。
【請求項７】
前記第２の部分の外面は、前記第１の部分の内面にある１または複数の突起部に接触するように構成される１または複数の戻り止めを備える、請求項１に記載の器具。
【請求項８】
前記第２の部分は、前記ホルダの曝露の量に対応する測定インジケータを備える、請求項１に記載の器具。
【請求項９】
前記第１の部分および前記第２の部分は、螺合により結合される、請求項１に記載の器具。
【請求項１０】
ホルダ内に含まれる油を陽圧呼吸システムの気流中へ曝露するための油拡散器具であって、前記器具は、
前記油を含む前記ホルダを受容するように構成されるレセプタクルと、
前記ホルダのためのハウジングを形成するように前記レセプタクルに結合されるカバーであって、前記カバーは、前記ホルダの前記気流への曝露を変動させるためのアパーチャを提供するように、前記レセプタクルに対して可動である、カバーと
を備える、器具。
【請求項１１】
前記アパーチャのサイズは、前記ホルダの前記気流への前記曝露に対応する、請求項１０に記載の器具。
【請求項１２】
ユーザが、前記アパーチャの前記サイズを調節することによって、前記ホルダの曝露の程度を選択し得る、請求項１０に記載の器具。
【請求項１３】
前記レセプタクルは、前記ホルダのいずれの部分も前記気流へ曝露されないように、前記アパーチャを全体的に閉じるように前記カバーに対して動き得る、請求項１０に記載の器具。
【請求項１４】
前記陽圧呼吸システムの管とフェイスマスクとの間に挿入されるように構成される、請求項１０に記載の器具。
【請求項１５】
前記陽圧呼吸システムの管とポンプとの間に挿入されるように構成される、請求項１０に記載の器具。
【請求項１６】
前記ホルダは、吸収性材料、微粒化材料、噴霧化材料、フェルトパッド、植物ベースのファイバパッド、動物ベースのファイバパッド、布、ゲル、多孔性物質、プラスチック、またはスポンジを備える、請求項１０に記載の器具。
【請求項１７】
前記器具は、前記ホルダの曝露の量に対応する測定インジケータを備える、請求項１０に記載の器具。
【請求項１８】
調節可能な量の油を陽圧呼吸システム内へ拡散するための方法であって、前記方法は、
受動油送達器具を前記陽圧呼吸システムの気流にインラインで挿入することであって、前記受動油送達器具は、レセプタクル内に配置されかつカバーで調節可能に覆われた、油で濡れた材料を備える、ことと、
前記油で濡れた材料の一部が前記気流へ曝露されるように、前記カバーを調節することと
を備える、方法。
【発明の詳細な説明】
【技術分野】
【０００１】
（関連出願）
これは、２０１８年３月２０日に出願された現在係属中の米国仮特許出願第６２／６４５，７５７号の利益を主張し、その開示は、この参照によってその全体が援用される。
【０００２】
（技術分野）
本開示は、概して、陽圧呼吸システムのための油送達システムに関する。特に、この開示は、制御されかつ可変である量の芳香油または精油等の化合物を、陽圧呼吸システムを介して送達するための受動インライン油送達システムを説明する。
【発明の概要】
【課題を解決するための手段】
【０００３】
（概要）
本開示の一側面によると、ホルダ内に含まれる油を陽圧呼吸圧力システムの気流へ曝露するための油拡散器具が提供される。油拡散器具は、油を含むホルダを固着するように構成されるレセプタクルと、第１のハウジング部分および第２のハウジング部分とを備え得、第１および第２の部分は、気流が通り得るハウジングを形成するように相互に結合される。アパーチャは、油を含むホルダを気流へ曝露するために、レセプタクル内に形成され得、アパーチャは気流によって運搬される油の量を変化させるように、サイズが可変である。
【０００４】
第１の部分および第２の部分は、接合されることに応答して、ホルダを全体的に囲み、それによってホルダのいずれの部分も気流へ曝露されないことが可能であり得る。油拡散器具は、陽圧呼吸システムの管とフェイスマスクとの間か、または管とポンプとの間に挿入されるように構成され得る。
【０００５】
いくつかの実施形態では、ユーザは、第１の部分と第２の部分との結合を調節することによって、ホルダの曝露の程度を選択し得る。ホルダは、吸収性材料、微粒化材料、噴霧化材料、フェルトパッド、植物ベースのファイバパッド、動物ベースのファイバパッド、布、ゲル、多孔性物質、プラスチック、またはスポンジを備え得る。第２の部分の外面は、第１の部分の内面にある１または複数の突起部に接触するように構成される１または複数の戻り止めを備え得る。第２の部分は、ホルダの曝露の量に対応する測定インジケータを備え得る。第１の部分および第２の部分は、螺合により結合され得る。
【０００６】
本開示の別の側面では、ホルダ内に含まれる油を陽圧呼吸システムの気流内へ曝露するための油拡散器具が提供される。器具は、油を含むホルダを受容するように構成されるレセプタクルと、ホルダのハウジングを形成するためにレセプタクルに結合されるカバーとを備え得、カバーは、ホルダの気流への曝露を変動させるためのアパーチャを提供するように、レセプタクルに対して可動である。
【０００７】
アパーチャのサイズは、ホルダの気流への曝露に対応し得る。ユーザは、アパーチャのサイズを調節することによって、ホルダの曝露の程度を選択し得る。レセプタクルは、ホルダのいずれの部分も気流へ曝露されないように、アパーチャを全体的に閉じるように、カバーに対して動き得る。
【０００８】
器具は、陽圧呼吸システムの管とフェイスマスクとの間か、または管とポンプとの間に挿入されるように構成され得る。ホルダは、吸収性材料、微粒化材料、噴霧化材料、フェルトパッド、植物ベースのファイバパッド、動物ベースのファイバパッド、布、ゲル、多孔性物質、プラスチック、またはスポンジを備え得る。器具は、ホルダの曝露の量に対応する測定インジケータを備え得る。
【０００９】
本開示の別の側面では、調節可能な量の油を陽圧呼吸システム内へ拡散するための方法が述べられる。方法は、受動油送達器具を陽圧呼吸システムの気流とインラインで挿入することであって、受動油送達器具は、レセプタクル内に配置されかつカバーを調節可能に覆われた、油で濡れた材料を備える、ことと、油で濡れた材料の一部が気流へ曝露されるようにカバーを調節することとを備え得る。
【００１０】
本発明の上記の概要は、本発明の各実施形態またはそれらの実施を説明することを意図されていない。以下の図面および詳細な説明は、好ましい実施形態をより具体的に例示する。
【図面の簡単な説明】
【００１１】
（図面の簡単な説明）
本明細書中で記述される開示は、非限定的かつ非排他的である図示的な実施形態を説明する。以下で説明される図面に描写されるそのような図示的な実施形態のいくつかに、参照がなされる。
【００１２】
【図１】図１は、加圧された気流を、ユーザによって着用されるフェイスマスクへ管を介して提供する陽圧呼吸システムを図示する。
【００１３】
【図２】図２は、種々の実施形態による、受動インライン油送達システムを挿入するための３つの例示的な箇所を図示する。
【００１４】
【図３】図３は、陽圧呼吸システムのフェイスマスクの近位にインラインで接続される受動油送達システムを図示する。
【００１５】
【図４Ａ】図４Ａは、一実施形態による、例示的な受動油送達システムの第１の部分の管側の視点を図示する。
【００１６】
【図４Ｂ】図４Ｂは、一実施形態による、例示的な受動油送達システムの第１の部分のコネクタ側の視点を図示する。
【００１７】
【図５Ａ】図５Ａは、一実施形態による、例示的な受動油送達システムの第２の部分の管側の視点を図示する。
【００１８】
【図５Ｂ】図５Ｂは、一実施形態による、例示的な受動油送達システムの第２の部分のコネクタ側の視点を図示する。
【００１９】
【図６】図６は、一実施形態による、第１および第２の部分のコネクタ側の視点と共に、例示的な拡散パッドを含む例示的な受動油送達システムを解体された状態で図示する。
【００２０】
【図７】図７は、一実施形態による、「完全に開いた」設定で共に接合される受動油送達システムの第１および第２の部分を図示する。
【００２１】
【図８】図８は、一実施形態による、部分的に曝露される調節可能なパッドハウジングを示す受動油送達システムの断面図を図示する。
【００２２】
【図９】図９は、一実施形態による、受動油送達システムのための２つの追加の調節設定を破線で図示する。
【００２３】
【図１０】図１０は、一実施形態による、円形であり、内側のパッドの曝露の量を調節するために第１および第２の部分の回転調節を可能とする代替の受動油送達システムを図示する。
【００２４】
【図１１】図１１Ａ−図１１Ｂは、種々の実施形態による、固定された送達速度で予め構成される受動油送達システムの例示的な実施形態を図示する。
【発明を実施するための形態】
【００２５】
（詳細な説明）
多くの人々が睡眠時無呼吸症候群および他の睡眠障害に苦しんでおり、陽圧呼吸システムの使用から恩恵を受け得る。持続陽圧呼吸（ＣＰＡＰ）システム、自動陽圧呼吸（ＡＰＡＰ）システム、およびバイレベル陽圧呼吸（ＢｉＰＡＰ）システム等の陽圧呼吸システムは、加圧された空気を管およびフェイスマスクを介してユーザに送達する。フェイスマスクは、例えば睡眠中にユーザの鼻および／または口に空気を送達し得る。ここで説明されるシステムおよび方法は、多種多様な代替となるタイプの空気または他の気体の送達システムを伴う使用のために適応され得る。
【００２６】
芳香精油は、アロマセラピー、マッサージセラピー、栄養補給、パーソナルケア、医療的使用および同様のもののために用いられる。いくつかのシステムおよびデバイスは、精油をユーザに送達するためにＣＰＡＰ機械を伴って作用するように考案された。例えば、米国特許公報第２０１８／０００８７９６号は、パッドから、ＣＰＡＰユーザに送達される空気内へ油を受動的に拡散するＣＰＡＰのためのインライン香気送達アダプタを説明する。しかし、上記の参照される特許公報の香気送達アダプタは、気流中への油の制御された送達を提供せず、かつ、いかなる調節可能性も可能としない。代わりに、既存の香気送達アダプタは、油リザーバが枯渇するまで、制御不能かつ大量の油を気流中へ拡散する。
【００２７】
同様にして、換気装置内で芳香物質を拡散するための器具が、米国特許公報第２０１０／００２２８１９号で説明される。このシステムは、同様に、気流中へ拡散される油の量を制御または調節する能力をいずれも欠いている。ここで説明されるシステムおよび器具は、陽圧呼吸システムの加圧された送達管（単数または複数）内への、制御されかつ／または調節可能な精油または芳香油等の油の拡散（または注入）を可能とする。ここで説明されるシステムおよび器具は、陽圧呼吸システムの管（単数または複数）にインラインで受動的に接続される。ここで説明されるシステムは、精油または芳香油だけでなく、空気中へ蒸発し得る任意の化合物でも動作し得ることが理解される。本明細書中で用いられる場合、油は、広範囲の化合物をカバーすることが意図されている。
【００２８】
いくつかの実施形態では、インライン受動油送達システムは、陽圧呼吸システムの気流内への油の制御された徐放性送達を提供する。例えば、飽和したパッドまたは部分的に飽和したパッドは、予備の油を貯蔵し得る。インライン受動油送達システムは、パッドの一部を管内の気流へ曝露し得る。パッドの曝露された一部は、制御された速度で精油を気流内へ拡散し、または（例えば毛細管作用を介して）可能ならば注入し得る。パッドタイプおよび気流へ曝露されるパッドの面積は、精油の標的となる拡散（または注入）速度を提供するように選択され得る。
【００２９】
１つの特定の例では、パッドは、およそ１０「滴」の精油に対応するおよそ５００マイクロリットル（５００μｌ）の精油を保持するように選択される。パッドは、陽圧呼吸システムの管とインラインで接続される器具内に含まれる。パッドの一部は、例えば１時間当たり気流中へ５μｌの油（１時間当たりおよそ０．１「滴」）を送達するように、気流へ曝露され得る。
【００３０】
別の特定の例では、パッドのより大きい部分が気流へ曝露され得、かつ／または、より高い放出速度を有するパッドが活用され得る。そのような例では、パッドは、１時間当たり１０μｌの油（１時間当たりおよそ０．２「滴」）を気流中へ送達し得る。気流へ曝露されるパッドの面積、および活用されるパッドのタイプは、標的となる送達速度を達成するように選択され得る。標的となる送達速度の例は、１時間当たり１−１００μｌの範囲であり得る。パッドのより多いもしくはより少ない部分を曝露することによって、かつ／または異なるパッド材料もしくはパッド飽和度を選択することによって、より高い速度およびより低い速度が機能的に可能である。
【００３１】
パッド（または他の材料）は、芳香油、香気、精油、および同様のものを含む多種多様な油を貯蔵し、それらのうちのいずれかの時間経過に伴う一定の放出（例えば０オーダーの放出）等の制御された放出を提供するように構成され得る。水蒸気蒸留、圧搾、または冷蒸留を介して製造される純粋な「精油」の代わりに、抽出物およびアブソリュートも用いられ得る。そのような油は、心地よい香気もしくは落ち着かせる香気を提供し得、呼吸の質を向上させるように気道を開き得、かつ／または他の治療薬もしくは非医療デバイスの薬効をユーザに提供し得る。いくつかの実施形態では、大麻油が、ユーザの呼吸管内に制御されかつ／または調節可能な大麻油の拡散／注入のためにパッドに追加され得る。
【００３２】
いくつかの実施形態では、パッドは、予備の油を貯蔵しかつ油を気流中へ送達することを可能とする多種多様な材料および物質のうちのいずれかによって取り替えられ得る。いくつかの材料は、例えば、蒸発または微粒化を介して油を気流中へ拡散し得、他の材料は、例えば毛細管作用を介して油を気流中へ注入し得る。あり得る材料の例は、微粒化材料、噴霧化材料、フェルトパッド、植物ベースのファイバパッド、動物ベースのファイバパッド、布、ゲル、多孔性物質、プラスチック、スポンジ、および同様のものを含むが、これらに限定されない。いくつかの実施形態では、気体が通過することを依然として可能としながら液体に浸透可能である材料を備える容器が用いられ得る。１つの特定の実施形態では、パッドは、およそ０．０６２５インチと０．５インチとの間（１．５ｍｍから１３ｍｍ）の厚さ、およそ０．２インチと０．７５インチとの間（５ｍｍから２０ｍｍ）の幅、およびおよそ０．２インチと１．１２５インチとの間（５ｍｍから３０ｍｍ）の長さである圧縮されたフェルトを備え得る。
【００３３】
いくつかの実施形態では、パッドを含むインライン器具は、機械的に調節可能である。器具の機械的調節は、気流へ曝露されるパッド（または他の材料）の全表面積を調節し得る。いくつかの実施形態では、インライン器具は、「オフ」設定と「完全に開いた」設定との間で調節され得る。インライン器具は、無限に「オフ」設定と「完全に開いた」設定との間で調節され得る。代替として、インライン器具は、「オフ」設定と「完全に開いた」設定との間の予め設定された数の段階的調節設定を有し得る。
【００３４】
「オフ」設定では、パッドのどの部分も気流へ曝露されないことがあり、油の気流中への放出の速度は、およそ０（０μｌ）であり得る。「完全に開いた」設定は、１時間当たりの最大の滴数またはマイクロリットルに対応し得る。例えば、「完全に開いた」設定は、１時間当たり１、２または３「滴」に対応し得る。従って、「オフ」設定と、１時間当たり１「滴」の「完全に開いた」設定との間に４つの個別の段階的設定が存在する実施形態の例では、個別のステップは、１時間当たり０．２「滴」、０．４「滴」、０．６「滴」および０．８「滴」の放出速度に対応し得る。
【００３５】
従って、いくつかの実施形態では、インライン油送達システムは、陽圧呼吸システムの気流中へ１時間当たりの予め設定された「滴」数の油を送達するように構成され得る。他の実施形態では、インライン油送達システムは、陽圧呼吸システムの気流中への１時間当たりの油の「滴」数を制御するように機械的に調節可能であり得る。
【００３６】
種々の実施形態では、パッド（または他の油貯蔵および注入／拡散材料）は、洗浄可能かつ／または取り替え可能であり得る。いくつかの実施形態では、パッドまたは他の材料は、特定の油で予め充填され得る。他の実施形態では、ユーザは、使用する前にベアパッドに油を追加し得る。いくつかの実施形態では、パッドは、油が追加されるときに（例えば化学反応を介して）色を変化させるように構成され得る。いくつかの実施形態では、パッドの色は、パッドが取り替えられるべきことを示すために、時間経過に伴って消えるかまたは色を変化させ得る。
【００３７】
パッドまたは他の放出メカニズムが選択される材料は、０オーダーの放出を提供するように構成され得る。つまり、１時間当たりに放出される油の量は、パッド内の貯蔵された油供給が枯渇するまで、初期の放出から実質的に同一であり得る。いくつかの実施形態では、パッドは、（早期にユーザの期待を満たすために）若干より多い油の量を早期に放出し得、それから、送達時間を保つために、０オーダーまたは０オーダーに近い送達速度に若干先細りにする。
【００３８】
開示の実施形態は、いくつかの特定の実施形態の例の図の参照によってさらに理解され得、図では、同様の部分は、全体にわたって同様の番号で指定される。本明細書中の図面で概略的に説明かつ図示される開示された実施形態の構成要素は、多種多様な異なる構成に配列および設計され得る。従って、本開示のシステムおよび方法の実施形態の以下の説明は、請求される本開示の範囲を限定することを意図されたものではなく、単にあり得る実施形態の代表に過ぎない。
【００３９】
構成要素のうちの多くは、サイズが変更され、形状が変更され、長くされ、短くされる等し得ることが特に認識される。多種多様な接続部、結合部、および固定部が、図面において示されるものへの追加物または代替物として活用され得る。実際、多くのあり得る選択物および変更物は、図示される実施形態の他の側面を妨げることを回避するために、意図的に図示されない。
【００４０】
本明細書中で説明される種々の構成要素は、多種多様な金属、プラスチック、ガラス、木、および製造において有用であることが公知である他の材料を用いて製造され得る。いくつかの場合では、周知の構造、材料、または動作が、本開示の側面を妨げることを回避するために、示されないか、または詳細に説明されないことがある。さらに、説明される特徴、構造、または特性は、１または複数の代替となる実施形態における任意の適切な態様で組み合わされ得る。
【００４１】
種々の機械的なインタフェースが、同様の機能を提供する代替となる機械的構成要素で置換され得ることが認識される。例えば、圧入締めフィッティングは、ねじフィッティング、接着フィッティング、クランプ、および同様のもので取り替えられ得る。戻り止め、突起部、くぼみ、スナップフィッティング、プレスフィッティング、ゴムシール、ねじフィッティング、締り嵌め、および同様のものが、説明される機能を達成するために、交換可能に、かつ／または組み合わせて用いられ得る。
【００４２】
「に接続される」、「に結合される」、「と係合する」および「と連通している」というフレーズは、文脈に依存して、機械的相互作用、電気的相互作用、磁気的相互作用、および電磁的相互作用を含む、２またはそれより多くの構成要素間の任意の形態の相互作用を指す。２つの構成要素は、相互に直接接触していない場合でさえも、かつ、２つの構成要素の間に中継デバイスが存在し得る場合でさえも、相互に接続され得る。
【００４３】
図１は、ユーザ１００によって着用されるフェイスマスク１３０に管１３５を介して、加圧された気流を提供する陽圧呼吸システム１２５を図示する。陽圧呼吸システム１２５は、例えば、持続陽圧呼吸（ＣＰＡＰ）システム、自動陽圧呼吸（ＡＰＡＰ）システム、またはバイレベル陽圧呼吸（ＢｉＰＡＰ）システムであり得る。管１３５は、機械的カプラーを介してフェイスマスク１３０に接続され得る。同様にして、管１３５は、機械的カプラーを介して陽圧呼吸システム１２５に接続され得る。いくつかの実施形態では、管１３５は、単一の部品であり得る。他の実施形態では、管１３５は、共に機械的に結合される複数の部品を備え得る。
【００４４】
図２は、種々の実施形態による、受動インライン油送達システム２５０を挿入するための３つ例示的箇所を図示する。複数のインライン油送達システム２５０が挿入され得る。一実施形態では、インライン油送達システム２５０は、陽圧呼吸システム１２５の機械的カプラーと管１３５との間に挿入され得る。別の実施形態では、インライン油送達システム２５０は、管１３５の２つのセクションの間に挿入され得る。さらに別の実施形態では、インライン油送達システム２５０は、管１３５とフェイスマスク１３０との間に挿入され得る。
【００４５】
図３は、陽圧呼吸システム１２５のフェイスマスク１３０の近位の管１３５とインラインで接続される受動油送達システム３５０を図示する。
【００４６】
図４Ａは、一実施形態による、例示的受動油送達システム４５０の第１の部分４７０の管側の視点を図示し、図４Ｂは、第１の部分４７０のコネクタ側の視点を図示する。図示されるように、気流は、管コネクタ４９０を通って第１の部分４７０内へ通り得る。アパーチャ４８０は、パッドホルダ４７３の周りの気流の通過を促進し得る。管フィッティング４７１は、陽圧呼吸システムの管の中またはその周りの摩擦嵌めを提供し得る。パッドホルダ４７３は、予備の油を貯蔵するフェルトパッドを保持するように構成され得る。
【００４７】
種々の実施形態では、パッドホルダ４７３は、微粒化材料、噴霧化材料、フェルトパッド、植物ベースのファイバパッド、動物ベースのファイバパッド、布、ゲル、多孔性物質、プラスチック、スポンジ、および同様のものを保持するような種々の他の構成要素で取り替えられ得る。受動油送達システムの第１の部分４７０は、図５Ａおよび図５Ｂに示される受動油送達システムの第２の部分の戻り止めと相互作用するために、１または複数の突起部４７２を含み得る。
【００４８】
いくつかの実施形態では、パッドホルダ４７３から延在するように選択されるパッドの長さは、油の送達速度を規定するかまたは少なくとも部分的に規定する。同様にして、パッドホルダ４７３の形状またはパッドホルダ４７３の表面積の大きさは、送達速度に大きな影響を及ぼし得る（例えば、パッドホルダ４７３の壁にある孔は、送達速度を増加させ得る）。
【００４９】
図５Ａは、一実施形態による、例示的な受動油送達システムの第２の部分５８０の管側の視点を図示し、図５Ｂは、そのコネクタ側の視点を図示する。管フィッティング５８１は、陽圧呼吸システムの管またはフェイスマスクの中または周りの摩擦嵌めを提供し得る。戻り止め５８２は、第２の部分５８０が第１の部分内に挿入されるときに、受動油送達システムの第１の部分４７０の突起部（単数または複数）４７２と相互作用するように構成され得る。戻り止め５８２は、受動油送達システムの第１の部分４７０の対向する内側の側面の突起部４７２と相互作用するために、受動油送達システムの第２の部分５８０の１または複数の側面に存在し得る。
【００５０】
いくつかの実施形態では、受動インライン油送達システムの第２の部分５８０は、パッドカバー５８３を含み得る。他の実施形態では、パッドカバー５８３が存在しないことがあり、そのため、パッドホルダ４７３の構成、パッドの寸法、および活用されるパッド材料が、油の送達速度を規定し得る。パッドカバー５８３は、様々な量の固着されたパッドを、管コネクタ５９０を通じて気流へ曝露するように、第１の部分４７０のパッドホルダ４７３と選択的に相互作用し得る。パッドホルダ４７３とパッドカバー５８３との間の係合は、パッドが含まれる気密体積を形成することが可能であり得る。いくつかの実施形態では、パッドホルダ４７３およびパッドカバー５８３は、パッドよりも小さい空間を形成し得、それによって、パッドは、第１の部分４７０および第２の部分５８０が一緒にされるときに圧縮され得る。
【００５１】
アパーチャ５８５は、第２の部分５８０を通る気流の通過を促進し得る。アパーチャ５８５は、第１の部分４７０内の対応するアパーチャ４８０と位置合わせするように形づくられ、かつ位置づけられ得る。接合された第１の部分４７０および第２の部分５８０は、（例えば、アパーチャ４８０、５８５を通って）気流が通過する導管を形成し得る。
【００５２】
図６は、一実施形態による、例示的な受動油送達システムの第１の部分４７０および第２の部分５８０のコネクタ側の視点と共に、例示的な拡散パッド６００を図示する。精油、芳香油、または同様のものが、拡散パッド６００に追加され得る。拡散パッド６００は、単一のパッドか、または１もしくは複数の材料タイプの複数の層を備え得る。既に言及されたように、パッド６００は、種々の噴霧化材料、フェルトパッド、植物ベースのファイバパッド、動物ベースのファイバパッド、布、ゲル、多孔性物質、プラスチック、スポンジ、および同様のものを含む、油を保有しかつ除放するための種々の代替となる材料によって取り替えられ得る。
【００５３】
図示される実施形態では、パッド６００は、受動油送達システムの第１の部分４７０のパッドホルダ４７３内に挿入されようとしている。受動油送達システムの第２の部分５８０が第１の部分４７０内に挿入されるときに、突起部４７２は、複数の戻り止め５８２のうちの１つの間に嵌められ得る。第２の部分５８０がどのくらいの距離で第１の部分４７０内に挿入されるかに依存して、パッド６００は、様々な程度で気流へ曝露され得る。
【００５４】
例えば、完全に閉じた位置または「オフ」の位置では、第２の部分５８０は、パッドカバー５８３が、さもなければパッドホルダ４７３によって気流へ曝露され得るパッド６００の部分の全てを覆うまで、第１の部分４７０内に挿入され得る。パッドホルダ４７３およびパッドカバー５８３が受動油送達システムを通してパッド６００の一部を気流へ曝露するように作用するように、完全に開いた位置では、第２の部分５８０は、（例えば、突起部４７２が第２の部分５８０の第１の２つの戻り止め５８２の間にあるまで）途中まで挿入されるのみであり得る。「完全に開いた」構成では、パッド６００は、パッドホルダ４７３によって覆われるパッド６００のそれらの部分を除いて、全体的に気流へ曝露され得る。
【００５５】
図７は、一実施形態による、「完全に開いた」設定で共に接合される受動油送達システムの第１の部分４７０および第２の部分５８０を図示する。図示される実施形態では、パッドの一部は、１時間当たりおよそ０．５「滴」（およそ２５μｌ）が気流中へ拡散または注入されること可能とするように受動油送達システム内の気流へ曝露され得る。図示される場合、第２の部分５８０をさらに第１の部分４７０内へ押すことによって、拡散速度は、１時間当たり０．２５「滴」に減少するか、または完全にオフにされ得る。
【００５６】
パッドが例えば１５「滴」のローズマリー精油を貯蔵し得る実施形態では、ユーザは、彼または彼女が８時間眠っている間に１時間当たり０．２５「滴」の油を送達するように、受動油送達システムを設定し得る。およそ２「滴」の油が、８時間の睡眠期間の間、気流中へ注入（または拡散）され得る。残りの１３「滴」は、貯蔵されたローズマリー精油のうちのいくらかの、陽圧呼吸システムの管内の空気中への拡散を防ぐために、「０滴／時」に第２の部分５８０を第１の部分４７０内へさらに押すことよって、日中に保存され得る。ユーザが次の夜に就寝するとき、彼または彼女は、所望の送達速度（注入または拡散速度）に第１の部分４７０および第２の部分５８０を分離し得る。描写される場合、突起物および戻り止めは、所与の送達速度に対応し得る。
【００５７】
いくつかの実施形態では、システムは、自動化された送達システムを含み得る。例えば、パッドの曝露の程度を変動させるために、電気モータが第１の部分４７０および第２の部分５８０の相対的な動きを制御し得る。ユーザは、リモートまたはシステム上にある制御を介して電気モータを動作させ得る。いくつかの実施形態では、自動化されたシステムは、パッドの曝露を自動で調節するために、タイマーまたはスケジュールを実施し得る。いくつかの実施形態では、システムは、ユーザが眠りに落ちるときを検出することが可能であり得、それに応答してパッドを閉じるようにプログラムされ得る。
【００５８】
図８は、部分的に曝露されたパッド（明確さのために図面から取り除かれている）が、パッドホルダ４７３およびパッドカバー５８３内に位置付けられ得る場所を示す受動油送達システムの破断図を図示する。図８のコンテキストにおいて容易に可視化され得るように、第２の部分５８０をさらに第１の部分４７０内へ押すことによって、パッドカバー５８３は、パッドホルダ４７３内に固着されたパッドをさらに覆う。同様にして、第１の部分４７０および第２の部分５８０が分離されている場合、アパーチャ８１０は、パッドホルダ４７３とパッドカバー５８３との間に作り出される。パッドホルダ４７３およびパッドカバー５８３の構成に依存して、かつ第１の部分４７０および第２の部分５８０を結合させるメカニズム／動きにも依存して、各種のアパーチャ形状およびサイズがあり得る。例えば、図示される実施形態において、アパーチャ８１０は、パッドの複数の側面の曝露を可能とする。そのような構成は、油を気流中へより拡散するために望ましくあり得る。図９は、一実施形態による、受動油送達システムのための３つの例示的な調節設定を図示する。第１の部分９００は、１時間当たり０．５「滴」に対応し、第２の部分９０１は、１時間当たり０．２５「滴」に対応し、第３の位置９０２では１時間当たり０「滴」である。いくつかの実施形態では、追加の戻り止めが、追加の送達速度に対応して存在し得る。例えば、１１の設定は、１時間当たり０．２「滴」の増分で、１時間当たり０「滴」と２「滴」との間の送達速度を可能とし得る。
【００５９】
図１０は、（既に図示された実質的に楕円形または丸みを帯びた長方形の実施形態の代わりに）円形である代替の受動油送達システムを図示する。図示される円形受動油送達システムは、標的となる送達速度１０００を選択するための、共に回転的にねじ切りされた第１の部分１０７０および第２の部分１０８０を備える。他の実施形態では、第１および第２の部分は、圧入されるか、ゴム（または同様物の）シールを含むか、または当業者に公知である多種多様な代替の機械的結合を活用し得る。第１の部分および第２の部分を結合するための各々の異なるメカニズムのために、パッドホルダおよびパッドカバーの形状を変更すること、およびパッドホルダおよびパッドカバーが係合する方法も変更することが要求され得ることが理解されるであろう。例えば、図１０に図示される実施形態では、第１の部分１０７０および第２の部分１０８０は共に回転的にねじ切りされ、パッドホルダおよびパッドカバーは、第１の部分１０７０および第２の部分１０８０が別々に回転されるように、１または複数の曝露面積を形成するように共に嵌合するように構成される円柱状の外面を有し得る。
【００６０】
図１１Ａおよび図１１Ｂは、種々の実施形態による、固定された送達速度で予め構成された受動油送達システムの例示的な実施形態を図示する。図１１Ａは、１時間当たり０．２５「滴」の送達速度を可能とするようなパッドタイプおよび気流への曝露で予め構成されるインライン受動油送達システム１１２５を図示する。図１１Ｂは、１時間当たり０．５「滴」の送達速度を可能とするような異なるパッドタイプおよび／または異なる（すなわちより多い）気流への曝露面積で予め構成されるインライン受動油送達システム１１５０を図示する。
【００６１】
本開示の特定の実施形態および用途が上記で説明され図面に示される。しかし、上記で詳しく述べられる精密な構成および構成要素に、多くの適応および修正がなされ得ることが理解される。また、いくつかの場合では、周知の特徴、構造、または動作は、詳細には示されも説明されもしていない。さらに、説明される特徴、構造、または動作は、１または複数の実施形態において任意の適切な態様で組み合わされ得る。本明細書中で概略的に説明されかつ図面に図示されるような実施形態の構成要素は、多種多様な異なる構成で配列および設計され得る。つまり、実施形態の全ての実行可能な並べ替えおよび組み合わせが構想される。
【００６２】
上記の説明において、種々の特徴は、本開示の合理化の目的のために、本開示の単一の実施形態、図面または説明で時には共にグループ化される。
【００６３】
本発明の根底にある原理から出ることなく、上記で説明された実施形態の詳細に変更がなされ得ることが、当業者にとって明らかであるだろう。
【図１】
2021518215.tif 000003
【図２】
2021518215.tif 000004
【図３】
2021518215.tif 000005
【図４Ａ】
2021518215.tif 000006
【図４Ｂ】
2021518215.tif 000007
【図５Ａ】
2021518215.tif 000008
【図５Ｂ】
2021518215.tif 000009
【図６】
2021518215.tif 000010
【図７】
2021518215.tif 000011
【図８】
2021518215.tif 000012
【図９】
2021518215.tif 000013
【図１０】
2021518215.tif 000014
【図１１】
2021518215.tif 000015
【国際調査報告】
2021518215.tif 000016